(57)【要約】      （修正有）【課題】移動体端末でコミュニケーション先を特定するためのマッチング処理を効率化する方法を提供する。【解決手段】各移動体端末のマッチング条件に重みづけを実施し、重みづけに基づいて、優先的にマッチングを行う条件(属性)を特定することで、マッチング判定にかかる時間を短縮し、移動体端末へのレスポンスを向上させる。特に、各移動体端末と接続可能なサーバ装置に格納しておき、このサーバ装置でマッチング処理を行うとより好適である。また、重み付けとしては、条件として多様性のあるもの、つまり、ふるい落としの効果の高さを示す情報（絞込みのし易い情報）を用いるとより効果的である。また、条件として、利用者の特徴を示す属性が含まれる。またさらに、これらの条件を複数用いる。なお、絞込みをし易さを判定するために、条件の分散度合い（偏差）を所定周期で算出し、この結果に基づいて動的に重み付けを変更する。【選択図】図１
2013125283.tif 000002
【特許請求の範囲】
【請求項１】
相互に直接通信可能な複数の移動体端末について、通信相手を特定するためのマッチング処理を実行する移動体端末マッチング方法において、
予め、前記複数の移動体端末の利用者それぞれに関する複数種類の属性情報を、前記属性情報それぞれの前記マッチング処理における重み付けを示す重み情報および前記移動体端末ないし当該移動体端末の利用者を識別する識別情報に対応付けて記憶装置に記憶しておき、
前記複数の移動体端末に含まれる第１の移動体端末から、当該第１の移動体端末の識別情報を受信し、
受信した前記識別情報に対応する属性情報について、対応する重み情報が最も大きなものから小さいものへの順序で、前記複数の移動体端末の複数の属性情報とマッチング処理を実行し、
前記マッチング処理で、前記複数の属性情報が合致した移動体端末を、前記第1の移動体端末の通信相手として特定することを特徴とする移動体端末マッチング方法。
【請求項２】
請求項１に記載の移動体端末マッチング方法において、
前記重み情報は、前記マッチング処理の絞込み効果の高いものほど高い値を取ることを特徴とする移動体端末マッチング方法。
【請求項３】
請求項２に記載の移動体端末マッチング方法において、
前記絞込みの効果は、前記属性が一致する数が少ないものほど大きな値を取ることを特徴とする移動体端末マッチング方法。
【請求項４】
請求項１乃至３のいずれかに記載移動体端末マッチング方法において、
前記重み情報を周期的に修正することを特徴とする移動体端末マッチング方法。
【発明の詳細な説明】
【技術分野】
【０００１】
本発明は、いわゆる無線通信端末に含まれる携帯可能な移動体端末であって、相互に直接通信を可能とする送受信機能を有する移動体端末に関する。なお、移動体端末には、いわゆるスマートフォン、携帯電話、ノートＰＣ、ネットブックなどが含まれる。
【背景技術】
【０００２】
現在、移動体端末が普及しており、多数の利用者により他の移動体端末との通信などコミュニケーション処理がなされている。このために、電話番号の入力しての通話など、明示的に相手を特定して行うものの他、何らかの条件を満たしたもの同士、コミュニケーション処理を実行することがなされている。
【０００３】
特許文献１には、特定の通信エリアにいる相手通信端末の中から自分が希望する相手と希望する方法で直接，ピアツーピアで通信することを可能とすることを目的としており、以下の構成が記載されている。通信端末１および相手通信端末２が，キーワード，通信ルールをピアリングサーバ８へ登録し，通信端末１が通信エリア５へ移動した場合に，通信端末１の位置情報をピアリングサーバ８へ送信する。ピアリングサーバ８は，受信した通信端末１の位置情報に基づいて，通信端末１と同じ通信エリア５内にいる全ての相手通信端末のうち通信端末１が登録したキーワード群と最も合致度合いが高いキーワード群を登録した相手通信端末２を選択し，上記合致度合いに基づいて通信端末１と相手通信端末２との通信ルールを選択し，通信端末１と相手通信端末２に選択した通信ルールでピアツーピア通信を行うよう指示する。すなわち、特許文献１では、通信端末（移動体端末）に登録されたキーワードと合致する、との条件に合う通信端末と通信を実現している。
【先行技術文献】
【特許文献】
【０００４】
【特許文献１】特開２００４−３１２３３１号公報
【発明の概要】
【発明が解決しようとする課題】
【０００５】
特許文献１では、Ｓ４にて、自身と同じ通信エリアに存在する全ての通信端末を特定し、これらとのキーワードのマッチングを行っている。通信エリアには、多数の端末が存在することが想定され、そのそれぞれとキーワードマッチングを行うと、処理負荷が増大するとの問題を生じる。
【課題を解決するための手段】
【０００６】
そこで、本発明では、条件のマッチング処理について、各条件に重み付けをしておき、重み付けられた条件から優先的にマッチングを行う構成としている。この際、条件については、各移動体端末と接続可能なサーバ装置に格納しておき、このサーバ装置でマッチング処理を行うとより好適である。また、重み付けとしては、マッチング処理に利用された回数を含む頻度を示す情報、条件として多様性のあるもの、つまり、ふるい落としの効果の高さを示す情報（絞込みのし易い情報）を用いるとより効果的である。また、条件として、利用者の特徴を示す属性が含まれる。またさらに、これらの条件を複数用いることも、本発明の一態様である。なお、絞込みをし易さを判定するために、条件の分散度合い（偏差）を所定周期で算出し、この結果に基づいて動的に重み付けを変更することも本発明の一態様に含まれる。
【発明の効果】
【０００７】
本発明によれば、移動体端末でコミュニケーション（通信）先を特定するための、マッチング処理の効率化が図れる。
【発明を実施するための形態】
【０００８】
以下、本発明の一実施の形態を、図面を用いて説明する。
図１に、本実施の形態システム構成図を示す。移動体端末103は、移動体端末104との通信を可能とする送受信装置が内蔵されている。移動体端末103と移動体端末104は、本実施の形態における処理を無線通信により実施する。移動体端末103は、移動体端末104と直接通信する送受信機能を有し、且つ、携帯網102を利用しセンターサーバと通信する機能を有する。移動体端末103は、通信可能範囲105に存在する他の移動体端末と通信を行い、検知した移動体端末情報を移動体端末マッチングサーバ101へ送信する装置である。
【０００９】
移動体端末マッチングサーバ101は、事前に移動体端末所持者が登録したマッチング情報（図２に示す）およびマッチング条件（図３に示す）を保持する。移動体端末マッチングサーバ101は、保持しているマッチング情報（図２に示す）から同一の情報の登録数およびマッチング条件（図３に示す）への登録数からそれぞれ重みづけ（図４および図５に示す）を実施する。
【００１０】
移動体端末マッチングサーバ101は、移動体端末所持者のマッチング条件の中で、重みづけが低いもの（絞り込み易いもの）を優先的にマッチングするように動的に順番を入れ替える処理を行う。
【００１１】
次に、図６に示すフローチャートを用いて、本実施の形態の処理内容を説明する。
まず、ステップ601で移動体端末104が会員ＩＤを発信する。ステップ602で移動体端末103が、移動体端末104の通信可能エリア105に侵入し、移動体端末104の会員ＩＤを受信する。
【００１２】
ステップ603で移動体端末103は、移動体端末104と移動体端末103の会員ＩＤを携帯網102を利用して移動体マッチングサーバ101に送信する。ステップ604で移動体マッチングサーバ101は、移動体端末104と移動体端末103の会員ＩＤを受信する。ステップ605で移動体マッチングサーバは101は、移動体端末104と移動体端末103の会員IDから、各マッチング条件を検索する。ステップ606で、移動体端末104と移動体端末103のマッチング条件を照合する。ステップ607で照合結果がマッチングなしの場合、ステップ608へ進み処理を終了し、マッチングありの場合、ステップ609に進む。ステップ609で移動体端末103に移動体端末104のマッチング結果を携帯網102で送信する。ステップ610で移動体端末103は、移動体端末104のマッチング結果を受信する。ステップ611で移動体端末103の画面上に移動体端末104へ移動体端末103のマッチング情報の通知可否画面を表示する。ステップ612で通知選択が許可しない場合、ステップ612に進み処理を終了し、許可する場合はステップ614に進む。ステップ614で移動体端末104への通知許可を移動体マッチングサーバ101へ携帯網102で送信する。
【００１３】
ステップ615では、移動体マッチングサーバ101は移動体端末103の通知許可を受信する。ステップ616で移動体マッチングサーバ101は、移動体端末103のマッチング情報を移動体端末104へ送信する。ステップ617で移動体端末104は移動体端末103のマッチング情報を受信する。ステップ618で移動体端末104の画面でマッチング情報の通知可否画面を表示する。ステップ619で通知選択が許可しない場合、ステップ620に進み処理が終了し、許可する場合はステップ621に進む。ステップ621で移動体端末104が移動体端末103への通知許可を移動体マッチングサーバ101に携帯網102を利用して送信する。ステップ622で移動体マッチングサーバは移動体端末104からの通知許可を受信する。ステップ623で移動体端末103へ移動体端末104のマッチング情報を携帯網102を利用して送信する。ステップ624で移動体端末103は移動体マッチングサーバ101から移動体端末104のマッチング情報を受信する。ステップ625で処理が完了する。
【図面の簡単な説明】
【００１４】
【図１】本発明の一実施の形態の構成図を示す。
【図２】本発明の一実施の形態その１の前提仕様および例を示す。
【図３】本発明の一実施の形態その１の前提仕様および例を示す。
【図４】本発明の一実施の形態その１の前提仕様および例を示す。
【図５】本発明の一実施の形態その１の前提仕様および例を示す。
【図６】本発明の一実施の形態その２の前提仕様および例を示す（その１）。
【図７】本発明の一実施の形態その２の前提仕様および例を示す（その２）。
【符号の説明】
【００１５】
101-移動体端末マッチングサーバ
102-携帯網
103-移動体端末
104-移動体端末
105-通信可能エリア
【図１】
2013125283.tif 000003
【図２】
2013125283.tif 000004
【図３】
2013125283.tif 000005
【図４】
2013125283.tif 000006
【図５】
2013125283.tif 000007
【図６】
2013125283.tif 000008
【図７】
2013125283.tif 000009